(57)【要約】【課題】ユーザによって必要な領域が指定された原稿を読み取って、読み取った原稿の原稿画像データから指定された領域内の原稿画像データを自動的に抽出し、電子ファイルに記録する原稿読取装置を提供すること。【解決手段】本発明に係わる原稿読取装置（１）は、領域線Ｍ１、Ｍ２を検知し、当該検知された領域線Ｍ１、Ｍ２によって指定された領域内の写真５１ａ、５１ｂに対応する原稿画像データを抽出する。そして、抽出した原稿画像データを電子ファイルＦ１に記録する。【選択図】図４
2009260590.tif 000002
【特許請求の範囲】
【請求項１】
原稿を読み取って、当該原稿の電子的な原稿画像データを生成する原稿読取装置において、
任意の領域を指定する領域線が描画された原稿を読み取った原稿画像データから前記領域線を検知する検知部と、
前記検知部が検知した領域線内の原稿画像データを抽出する抽出部を備え、
前記抽出部が抽出した原稿画像データを電子ファイルに記録することを特徴とする原稿読取装置。
【請求項２】
原稿を読み取って、当該原稿の電子的な原稿画像データを生成する原稿読取装置において、
任意の領域を指定する領域線及び当該領域線の近傍に所定の形状の識別子が描画された原稿を読み取った原稿画像データから前記領域線及び識別子を検知する検知部と、
前記検知部が検知した領域線内の原稿画像データを抽出する抽出部を備え、
前記抽出部が抽出した原稿画像データを、前記識別子の形状に基づいて予め定めた所定の電子ファイルに記録することを特徴とする原稿読取装置。
【請求項３】
前記識別子の形状に基づいて、予め定めたファイル形式によって記録することを特徴とする請求項２に記載の原稿読取装置。
【請求項４】
前記識別子の形状に基づいて、当該識別子の近傍の領域線内の原稿画像データに対して、色変換処理等の所定の画像処理を施すことを特徴とする請求項３に記載の原稿読取装置。
【請求項５】
前記領域線及び／又は識別子は、所定の温度まで加熱することによって色が消える消色インクを用いて描画されたものであることを特徴とする請求項１〜４のいずれかに記載の原稿読取装置。
【請求項６】
原稿搬送路に設けられた、読み取られた原稿を排紙トレイへ排紙する排紙ローラ近傍に、前記消色インクを消色するためのヒータを設け、
前記領域線が描画された原稿を読み取った後に、前記ヒータは、前記原稿を所定の温度まで加熱することによって前記領域線及び／又は識別子を消色することを特徴とする請求項５に記載の原稿読取装置。
【発明の詳細な説明】
【技術分野】
【０００１】
本発明は、原稿を読み取って電子的な原稿画像データを生成する原稿読取装置に係わり、特に、読み取った原稿画像データの中から指定された領域内の原稿画像データを抽出し、抽出した原稿画像データを電子ファイルに記録する原稿読取装置に関する。
【背景技術】
【０００２】
原稿読取装置（スキャナ）が生成した電子的な原稿画像データに各種編集処理を施すことができる画像編集装置が特許文献１に開示されている。
例えば新聞記事などの原稿を原稿読取装置に読み取らせ、前記原稿に対応する原稿画像データを液晶ディスプレイ等に表示する。そして、液晶ディスプレイに表示された原稿画像データの中から電子ファイルとして記録したい領域をマウスなどのポインティングデバイスを用いて指定し、当該指定した領域に対応する原稿画像データを電子ファイルに記録する。
【特許文献１】特開平５−１２２４９９号公報
【発明の開示】
【発明が解決しようとする課題】
【０００３】
しかし、液晶ディスプレイに表示された原稿画像データから抽出したい領域をマウスなどのポインティングデバイスを用いて指定する操作は煩雑である。
【０００４】
本発明は、このような実情に鑑みてなされたものであり、ユーザによって必要な領域が指定された原稿を読み取って、読み取った原稿の原稿画像データから指定された領域内の原稿画像データを自動的に抽出し、電子ファイルに記録する原稿読取装置を提供することを目的とする。
【課題を解決するための手段】
【０００５】
第１の技術手段は、原稿を読み取って、当該原稿の電子的な原稿画像データを生成する原稿読取装置において、任意の領域を指定する領域線が描画された原稿を読み取った原稿画像データから前記領域線を検知する検知部と、前記検知部が検知した領域線内の原稿画像データを抽出する抽出部を備え、前記抽出部が抽出した原稿画像データを電子ファイルに記録することを特徴とする原稿読取装置である。
【０００６】
第２の技術手段は、原稿を読み取って、当該原稿の電子的な原稿画像データを生成する原稿読取装置において、任意の領域を指定する領域線及び当該領域線の近傍に所定の形状の識別子が描画された原稿を読み取った原稿画像データから前記領域線及び識別子を検知する検知部と、前記検知部が検知した領域線内の原稿画像データを抽出する抽出部を備え、前記抽出部が抽出した原稿画像データを、前記識別子の形状に基づいて予め定めた所定の電子ファイルに記録することを特徴とする原稿読取装置である。
【０００７】
第３の技術手段は、第２の技術手段において、前記識別子の形状に基づいて、予め定めたファイル形式によって記録することを特徴とする。
【０００８】
第４の技術手段は、第３の技術手段において、前記識別子の形状に基づいて、当該識別子の近傍の領域線内の原稿画像データに対して、色変換処理等の所定の画像処理を施すことを特徴とする。
【０００９】
第５の技術手段は、第１〜第４のいずれかの技術手段において、前記領域線及び／又は識別子は、所定の温度まで加熱することによって色が消える消色インクを用いて描画されたものであることを特徴とする。
【００１０】
第６の技術手段は、第５の技術手段において、原稿搬送路に設けられた、読み取られた原稿を排紙トレイへ排紙する排紙ローラ近傍に、前記消色インクを消色するためのヒータを設け、前記領域線が描画された原稿を読み取った後に、前記ヒータは、前記原稿を所定の温度まで加熱することによって前記領域線及び／又は識別子を消色することを特徴とする。
【発明の効果】
【００１１】
本発明により、ユーザによって領域が予め指定されている原稿を読み取り、読み取った原稿の原稿画像データから指定された領域内の原稿画像データを自動的に抽出し、電子ファイルに記録する原稿読取装置を提供することができる。
その結果、ユーザは、液晶ディスプレイなどに表示された原稿画像データから抽出したい領域をマウスなどのポインティングデバイスを介して指定する手間を省くことができるので、利便性が向上する。
【発明を実施するための最良の形態】
【００１２】
（実施例１）
図１は、本発明の概要を説明するための図である。
５１は、本発明に係わる原稿読取装置によって読み取られる新聞記事などの原稿、５１ａ、５１ｂは、ユーザが切り抜いて電子ファイルとして記録したい写真を示したものである。
【００１３】
図２は、ユーザによって、図１の写真５１ａ、５１ｂがマーキングされた原稿５１’を示した図で、Ｍ１は、前記写真５１ａを指定するための領域線（マーキング線）を示したもの、Ｍ２は、前記写真５１ｂを指定するための領域線を示したものである。
【００１４】
本発明に係わる原稿読取装置は、まず、図２に示したマーキングされた原稿５１’を読み取って、原稿５１’に対応する原稿画像データを生成し、図３に示すように、前記原稿画像データから、前記領域線Ｍ１、Ｍ２を検知する。
そして、図４に示すように、前記領域線Ｍ１、Ｍ２によって指定された領域内の写真５１ａ、５１ｂに対応する原稿画像データを抽出し、抽出した原稿画像データを電子ファイルＦ１に記録する。
なお、領域線を検知する技術は、公知の技術例えば閉ループ或いは領域線の軌跡を検知する技術（特開平９−０４４６６１号公報など参照）が適用できる。
【００１５】
また、マーキングＭ１、Ｍ２は、所定の温度まで加熱することで色が消える消色インクを用いて描画されているので、原稿を読み取った後、読み取った原稿を前記所定の温度まで加熱すれば当該マーキングＭ１、Ｍ２は消える。なお、前記消色インクに係わる技術も公知技術（特開２００６−６３２３８号公報など参照）が適用できる。
【００１６】
図５は、本発明が適用される原稿読取装置１の一例を説明するための概略構成図である。
原稿読取装置１は、主走査部１００とＡＤＦ（Auto Document Feeder：自動原稿送り装置）２００とから構成される。
主走査部１００とＡＤＦ２００とはヒンジ（図示せず）によって連結され、ＡＤＦ２００はヒンジの回動によって主走査部１００に対して開閉可能となっている。
【００１７】
主走査部１００は、主として筐体１１０と、透明なガラス板からなるプラテン板１１１と、筐体１１０内に収容され、原稿を読み取って（スキャン）、電子的な原稿画像データ（スキャンデータ）を生成する第１画像読取ユニット１２０とから構成されている。
主走査部１００は、プラテン板１１１上にユーザにより載置された原稿の読み取りを行う原稿固定方式と、ＡＤＦ２００によって自動的に原稿を搬送しながら原稿を読み取る原稿移動方式の両方式に対応している。
【００１８】
第１画像読取ユニット１２０は、光源１２１及び第１ミラー１２２ａを保持する光源ユニット１３１と、第２ミラー１２２ｂ及び第３ミラー１２２ｃを保持するミラーユニット１３２と、レンズ１３３と、ＣＣＤ１３４とから構成された縮小光学系の画像読取手段である。
【００１９】
原稿固定方式によって原稿を読み取る場合、光源ユニット１３１とミラーユニット１３２は、原稿固定方式に対応したホームポジションにそれぞれ移動する。図２は、これら光源ユニット１３１とミラーユニット１３２とがホームポジションにある状態を示している。
【００２０】
ユーザの原稿読み取り実行ボタンの操作を契機として、光源ユニット１３１が原稿に対して光を照射しながら一定の速度で副走査方向（紙面に対して左右方向）に移動して原稿を走査し、それと同時にミラーユニット１３２が光源ユニット１３１の移動速度の１／２の移動速度で同じく副走査方向に移動する。
【００２１】
光源ユニット１３１から照射され原稿から反射した光は、光源ユニット１３１に設けられた第１ミラー１２２ａで反射した後、ミラーユニット１３２が備える第２ミラー１２２ｂ及び第３ミラー１２２ｃによって１８０°光路変換される。そして第３ミラー１２２ｃで反射された光はレンズ１３３を介してＣＣＤ１３４に結像し、電子的な原稿画像データに変換される。
【００２２】
一方、ＡＤＦ２００を用いる原稿移動方式によって原稿を読み取る場合、光源ユニット１３１及びミラーユニット１３２は、図５に示される状態のホームポジションに静止したまま、ＡＤＦ２００によってホームポジションの上部を通過するように搬送される原稿を走査する。
【００２３】
そして、原稿の表面で反射した光は、上述の原稿固定方式と同様に、第１ミラー１２２ａによって反射した後、ミラーユニット１３２の第２ミラー１２２ｂ及び第３ミラー１２２ｃによって１８０°光路変換され、レンズ１３３を介してＣＣＤ１３４に結像し、電子的な原稿画像データに変換される。
【００２４】
ＡＤＦ２００は、主として原稿載置台２０１に載置された原稿を１枚ずつＡＤＦ２００の内部へ呼び込む呼び込みローラ２１１と、呼び込まれた原稿を原稿搬送路Ｆに沿って搬送する複数対の搬送ローラ２１２と、給紙タイミングを調節するレジストローラ２１３と、画像読み取りを終えた原稿を排紙トレイ２０２へ排出する排紙ローラ２１４と、原稿を読み取って原稿画像データを生成する第２画像読取ユニット２２０から構成されている。第２画像読取ユニット２２０は、略Ｕ字状に弧を描く原稿搬送路Ｆ内に収まるように配設されている。
【００２５】
第２画像読取ユニット２２０は、光源２２１、第１ミラー２２２ａ、第２ミラー２２２ｂ、第３ミラー２２２ｃ、第４ミラー２２２ｄ、レンズ２２３、及び、ＣＣＤ２２４から構成された縮小光学系の画像読取ユニットであり、これらの各要素は１つの集合体をなすようにユニット化されてユニット用筐体２２５に収容されている。第２画像読取ユニット２２０において、光源２２１、レンズ２２３、及びＣＣＤ２２４は、第１画像読取ユニット１２０を構成する各要素と同一のものである。
【００２６】
また、第２画像読取ユニット２２０は、ユーザから両面読み取りの要求がなされた際に、原稿搬送路Ｆを搬送される原稿の裏面側の画像を読み取る。具体的には、第１画像読取ユニット１２０によって原稿の表面側の画像が読み取られた後、当該原稿は原稿搬送路Ｆに沿って排紙トレイ２０２へ向けて搬送される。その後、前記搬送された原稿は反転して逆方向に搬送され、第２画像読取ユニット２２０の光源２２１の下部を通過する。
【００２７】
そのとき、第２画像読取ユニット２２０の光源２２１は、原稿の裏面側へ向けて光を照射する。そして、原稿の裏面から反射された光は、ガラス等の透明部材で形成された読取窓２２６を通過し、第１ミラー２２２ａ〜第４ミラー２２２ｄによって順次光路変換され、レンズ２２３を介してＣＣＤ２２４に結像し、電子的な原稿画像データに変換される。
【００２８】
なお、ＡＤＦ２００の下面は、主走査部１００のプラテン板１１１上に載置された読み取り原稿を上から押さえる押さえ板２３０となっている。この押さえ板２３０は、光源ユニット１３１の光源１２１に対峙する部分が開放可能な蓋体２３１でもある。
【００２９】
原稿搬送路Ｆに設けられた、読み取られた原稿を排紙トレイ２０２へ排紙する排紙ローラ２１４近傍には、図２で説明した、領域線が描画された原稿を読み取った後に、当該原稿を所定の温度まで加熱し、該原稿に描画された領域線を消去する第１ヒータ２４１及び第２ヒータ２４２から構成されるヒータユニット２４０が設けられている。
第１ヒータ２４１は、原稿の表（オモテ）面の、前述した領域線を消去し、第２ヒータ２４２は、原稿の裏面の、同領域線を消去する。
なお、前記第１ヒータ２４１及び第２ヒータ２４２は、原稿の搬送路を挟んで互いに対向して設けられていため、熱が分散することなく、原稿を表裏から効率良く加熱することができる。
このように原稿を加熱することにより、読み取られる原稿から領域線（マーキング）が消色されるので、不要な領域線がない綺麗な原稿を得ることができる。
【００３０】
図６は、本発明に係わる原稿読取装置１の機能を説明するためのブロック図である。
２１は、ネットワークＩ／Ｆで、ネットワークＮに対するインターフェイス機能を提供し、当該ネットワークＮに接続しているＰＣ、ＭＦＰ（図示しない）等とデータ送受信を実行する。
２２は、原稿読取装置１を操作するための操作パネルで、タッチパネル、テンキー等から構成されている。
【００３１】
２３は、原稿を読み取り、読み取った原稿毎に電子的な原稿画像データを生成するスキャン部で、図５に示した、第１画像読取ユニット１２０、第２画像読取ユニット２２０、ヒータユニット２４０等から構成される。
２４は、各種制御情報などを記憶するメモリ、２５は、スキャン部２３が生成した原稿画像データや前述したＰＣ、ＭＦＰが送信した電子データを記録するためのＨＤＤである。
２６は、各機能ブロックを制御する制御部である。
【００３２】
３１は、指定領域線検知部で、スキャン部２３によって読み取られた原稿に対応する原稿画像データから前記消色インクによって任意の領域を指定する領域線（マーキング線）を検知し、検知した領域線の位置情報をメモリ２４等に記憶する。
【００３３】
前記領域線の検知方法としては、前述したように従来から提案されている様々な方法を採用することができる。例えば、原稿画像データの中から色分離回路を用いて領域線の色を抽出し、当該抽出された領域線の色情報に基づいて領域線を検知する方法や、領域線の色を予め指定し、原稿画像データの中から当該色の部分を、フルカラーセンサ等を用いて識別し、領域線を検知する方法がある。
【００３４】
指定領域線検知部３１は、スキャン部２３によって読み取られた原稿に対応する原稿画像データの全領域に対して、領域線の検知処理を実行する。
【００３５】
３２は、指定領域データ抽出部で、スキャン部２３によって読み取られた原稿に対応する原稿画像データから指定領域線検知部３１によって検知された領域線内の原稿画像データを、メモリ２４に記憶された前記領域線の位置情報に基づき抽出し、指定領域データファイル記録部３３に出力する。
【００３６】
指定領域データファイル記録部３３は、指定領域データ抽出部３２によって抽出された原稿画像データを電子ファイルに記録する。
【００３７】
３４は、ファイル形式指定部で、指定領域データファイル記録部３３が記録した電子ファイルのファイル形式を指定する。前記指定は、操作パネル２２を介して行われ、また、指定される電子ファイルのファイル形式としては、例えばＰＤＦ、ＴＩＦＦがある。
前記指定されるファイル形式は、操作パネル２２を介して指定するだけでなく、後述のユーザによって予め描画された識別子によっても指定することができる。
【００３８】
次に、指定された領域内の原稿画像データを電子ファイルに記録する処理について図７のフロー図を用いて詳細に説明する。
ここでは、ユーザは、図２に示した、原稿５１’の写真５１ａ、５１ｂに対応する原稿画像データを電子ファイルに記録したいと所望していると想定し、当該ユーザが写真５１ａ、５１ｂにそれぞれ領域線Ｍ１、Ｍ２を描画しているものとする。
【００３９】
まず、ユーザが原稿５１’を原稿読取装置１の原稿載置台２０１にセットし、操作パネル２２を介し、電子ファイルの記録処理を原稿読取装置１に指示する（ステップＳ１）。
原稿載置台２０１にセットされた原稿５１’はスキャン部２３によって読み取られ、当該原稿５１’に対応する原稿画像データが生成される（ステップＳ２）。
同時に、制御部２６は、ヒータユニット２４０（スキャン部２３）の第１ヒータ２４１をオンにして（ステップＳ３）、原稿に描画された消色インクを消去する。なお、両面読み取りモードの場合には、第２ヒータ２４２もオンにする。
【００４０】
指定領域線検知部３１は、前記生成された原稿画像データから消色インクによって指定された領域線を検知し、検知した領域線の位置情報をメモリ２４等に記憶する（ステップＳ４）。かかる検知処理を、前記原稿画像データの全領域に対して実行する。
【００４１】
そして、メモリ２４に記憶された領域線の位置情報に基づき、指定領域データ抽出部３２が、指定領域線検知部３１によって検知された領域線内の原稿画像データを抽出し、指定領域データファイル記録部３３に出力する（ステップＳ５）。
【００４２】
そして、前記領域線内の原稿画像データを受信した指定領域データファイル記録部３３は、当該原稿画像データを電子ファイルに記録し（ステップＳ６）、所定のファイル形式でＨＤＤ２５や原稿読取装置１にネットワークＮを介して接続されるＰＣ、サーバ装置、ＭＦＰ等に格納する（ステップＳ７）。
【００４３】
（実施例２）
実施例２では、１電子ファイルに記録する複数の原稿画像データを指定したり、電子ファイルのファイル形式を指定したり、さらに、当該原稿画像データに施す画像処理などを指定するための識別子が領域線近傍に描画された原稿を読み取り、当該識別子に基づき所定の処理を行う原稿読取装置について説明する。
図８は、実施例２の概要を説明するための図である。
Ｉｄ１（丸囲み１）、Ｉｄ２（丸囲み２）は、それぞれ、原稿５１’’の写真５１ａ、写真５１ｂを識別するための識別子で、ユーザによって描画されたものである。
【００４４】
識別子Ｉｄ１は、写真５１ａを指定するための領域線Ｍ１の外側近傍、具体的には、当該領域線Ｍ１から約１ｃｍ離れた場所に描画される。識別子Ｉｄ２も、写真５１ｂを指定するための領域線Ｍ２に対応して同様な場所に描画されている。
前記識別子は、領域線と同様に消色インクによって描画されている。
【００４５】
実施例２の原稿読取装置は、前述のように、領域線で指定された複数の原稿画像データを抽出する。同時に、前記領域線近傍の識別子を後述するパターンマッチング等によって検知する。
そして、抽出した原稿画像データを、検知された識別子の形状に基づいて予め定めた所定の電子ファイルに記録する。具体的には、前記原稿読取装置は、図９に示すように、Ｉｄ１によって識別される写真５１ａに対応する原稿画像データを電子ファイルＦ２に記録し、Ｉｄ２によって識別される写真５１ｂに対応する原稿画像データを電子ファイルＦ３に記録する。
【００４６】
図１０は、実施例２の原稿読取装置１’の機能を説明するためのブロック図である。
指定領域線検知部３１’は、前記原稿に対応する原稿画像データの全領域に対して、領域線の検知処理を実行する。さらに、前記領域線の近傍に描画された所定の形状の識別子を検知する。
【００４７】
さらに、指定領域線検知部３１’は、前述したように、当該検知部３１がメモリ２４に記憶した領域線の位置情報に基づき、当該領域線の近傍の原稿画像データから、メモリ２４に記録された識別子の形状と同一の識別子をパターンマッチングによって検知する。そして、検知された識別子の形状に係わる情報と、メモリ２４に記憶された、前記識別子に対応する領域線の位置情報とを関連付けて記録する。
【００４８】
例えば、メモリ２４に、識別子の形状に係わる情報として“丸囲み１”（丸１）、“丸囲み２”（丸２）、“丸囲み３”（丸３）が記録されているとする。
【００４９】
この場合、図８の例では、指定領域線検知部３１’によって識別子“丸囲み１”（丸１）、及び、“丸囲み２”（丸２）が検知される。
【００５０】
指定領域データ抽出部３２’は、スキャン部２３によって読み取られた原稿に対応する原稿画像データから指定領域線検知部３１’によって検知された領域線内の原稿画像データを、メモリ２４に記憶された前記領域線の位置情報に基づき抽出する。そして、抽出した原稿画像データと、前述した、当該原稿画像データに対応する領域線の位置情報に関連付けられた識別子の形状に係わる情報とを関連付けてメモリ２４に記憶する。
【００５１】
指定領域データファイル記録部３３’は、識別子の形状に係わる情報に基づき、当該識別子の形状と同一の識別子が近傍に描画された領域線内の原稿画像データを１電子ファイルに記録する。
【００５２】
例えば、“丸囲み１”（丸１）によって識別される領域線によって指定された記事に対応する原稿画像データＸ１と、“丸囲み２”（丸２）によって識別される領域線によって指定された記事に対応する原稿画像データＸ２がある場合には、図９で説明したように、原稿画像データＸ１を電子ファイルＦ２に、原稿画像データＸ２を電子ファイルＦ３に記録する。
【００５３】
また、“丸囲み１”（丸１）によって識別される領域線によって指定された記事に対応する３つの原稿画像データ（Ｘ１〜Ｘ３）がある場合には、全原稿画像データ（Ｘ１〜Ｘ３）を１つの電子ファイルに記録する。
【００５４】
（その他）
指定領域線検知部３１’によって検知された識別子の形状に基づいて、予め定めたファイル形式によって記録してもよい。例えば、前記形状が、“丸囲み１”（丸１）の場合は、ＰＤＦ形式で記録する、“丸囲み２”（丸２）の場合は、ＴＩＦＦ形式で記録する。
【００５５】
前記識別子の形状に基づいて、当該識別子の近傍の領域線内の原稿画像データに対して、所定の画像処理、例えば、色変更処理、倍率変更処理、色濃度変更処理、解像度変更処理を施すことができる。例えば、前記形状が、“丸囲み１”（丸１）の場合は、モノクロ処理を施すことができる。
【００５６】
記録する電子ファイルの名称は、ユーザが入力してもよいし、日付及びファイルの連番に基づき自動的に決定してもよい。
また、識別子が“丸囲み１”（丸１）、“丸囲み２”（丸２）のように数値で指定されている場合には、当該数値をＯＣＲによって認識し、当該数値を含むようにファイルの名称を決定してもよい。
記録した電子ファイルは、ネットワークＩ／Ｆ２１を介して、ＰＣ等に送信してもよい。
【００５７】
識別子の形状は、“○”（丸）、“△”（三角）、“□”（四角）等様々な形状を有していてもよい。
このようにすることで、ユーザの利便性がより向上する。
【図面の簡単な説明】
【００５８】
【図１】実施例１の概要を説明するための第１の図である。
【図２】実施例１の概要を説明するための第２の図である。
【図３】実施例１の概要を説明するための第３の図である。
【図４】実施例１の概要を説明するための第４の図である。
【図５】本発明に係わる原稿読取装置の概略構成図である。
【図６】実施例１の原稿読取装置の機能を説明するためのブロック図である。
【図７】指定された領域内の原稿画像データを電子ファイルに記録する処理について説明するためのフロー図である。
【図８】実施例２の概要を説明するための第１の図である。
【図９】実施例２の概要を説明するための第２の図である。
【図１０】実施例２の原稿読取装置の機能を説明するためのブロック図である。
【符号の説明】
【００５９】
１，１’…原稿読取装置、２１…ネットワークＩ／Ｆ、２２…操作パネル、２３…スキャン部、２４…メモリ、２５…ＨＤＤ、２６…制御部、３１，３１’…指定領域線検知部、３２，３２’…指定領域データ抽出部、３３，３３’…指定領域データファイル記録部、３４…ファイル形式指定部、５１，５１’，５１’’…原稿、５１ａ，５１ｂ…写真、１００…主走査部、１１０…筐体、１１１…プラテン板、１２０…画像読取ユニット、１２１…光源、１２２ａ〜１２２ｃ…第１ミラー〜第３ミラー、１３１…光源ユニット、１３２…ミラーユニット、１３３…レンズ、１３４…ＣＣＤ、２００…ＡＤＦ、２０１…原稿載置台、２０２…排紙トレイ、２１１…呼び込みローラ、２１２…搬送ローラ、２１３…レジストローラ、２１４…排紙ローラ、２２０…第２画像読取ユニット、２２１…光源、２２２ａ〜２２２ｄ…第１ミラー〜第４ミラー、２２３…レンズ、２２４…ＣＣＤ、２２５…ユニット用筐体、２２６…読取窓、２３０…押さえ板、２３１…蓋体、２４０…ヒータユニット、２４１…第１ヒータ、２４２…第２ヒータ、Ｍ１，Ｍ２…識別線、Ｉｄ１，Ｉｄ２…識別子、Ｆ１，Ｆ２，Ｆ３…電子ファイル。
【図１】
2009260590.tif 000003
【図２】
2009260590.tif 000004
【図３】
2009260590.tif 000005
【図４】
2009260590.tif 000006
【図５】
2009260590.tif 000007
【図６】
2009260590.tif 000008
【図７】
2009260590.tif 000009
【図８】
2009260590.tif 000010
【図９】
2009260590.tif 000011
【図１０】
2009260590.tif 000012